(57)【要約】      （修正有）【課題】携帯型情報端末のカバーのカード入れや、財布のカード入れに挿入できる一枚のカードで、災害時などの非常時においてカードを折り畳むことで警笛としての機能を有する折り畳み式のカード笛を提供する。【解決手段】扁平な一枚のカード本体２に、４本の折り畳み線３ａ〜３ｄと、中央部付近に折り返し片９と、切り込み部１０ａ、１０ｂとを設けることにより、これを折り畳み線３ａ〜３ｄに沿って直方体に折り畳み、折り返し片９を折り返し、警笛としての音のなる防災用笛を構成する。【選択図】図１
0003201223.tif 000002
【実用新案登録請求の範囲】
【請求項１】
長方形の扁平なカード本体を備え、
前記カード本体は、カード本体の長辺を形成する側端に平行な４本の折り畳み線によって、第１の下面部、第１の側面部、上面部、第２の側面部、第２の下面部が、短軸方向に隣り合って配列されてなり、
前記第１の側面部、及び第２の側面部は、短軸方向に同一幅であると共に、前記第１の下面部、上面部、及び第２の下面部よりも幅狭に形成され、
前記上面部の長軸方向の一端近傍における中央部分に、前記一端側が前記カード本体と連続してコの字型に切り込まれた折り返し片が形成され、
前記カード本体は、前記折り返し片よりも他端側において、前記両側端から垂直に、一直線上で互いに向かい合ってなる切り込み部が前記上面部に至るまで形成されてなり、
前記カード本体に形成された前記４本の折り畳み線に沿って、前記第１の下面部、第１の側面部、上面部、第２の側面部、及び第２の下面部がそれぞれ一方向に折り畳まれると、前記第１の下面部と前記第２の下面部が互いに重なり合って一の下面が構成される中空の直方体からなる共鳴胴部が形成され、
前記共鳴胴部の他端は吹き込み口に形成され、
前記折り返し片を前記共鳴胴部の内側に折り返すと発音孔が形成され、
前記切り込み部において、前記上面部を折り曲げることによって前記共鳴胴部が屈曲可能であること
を特徴とする折り畳み式のカード型笛。
【請求項２】
長方形の扁平なカード本体を備え、
前記カード本体の長辺を形成する一側端側において、長軸方向に互いに離間して同一の矩形形状に形成された一対の角部分が、前記カード本体から切り離し可能な一対の切り離し部に形成され、
前記カード本体は、カード本体の短辺に平行な４本の折り畳み線によって、第１の下面部、第１の側面部、上面部、第２の側面部、第２の下面部が、長軸方向に隣り合って配列されてなり、
前記第１の側面部、及び第２の側面部は、長軸方向に同一幅であると共に、前記第１の下面部、上面部、及び第２の下面部よりも幅狭に形成され、
前記上面部の一側端側に連続してなる前記一対の切り離し部の間隙部分に、カード本体の長辺に平行で、前記切り離し部の他側縁と同一線上に形成された第１の折り込み線、及び前記第１の折り込み線から、前記第１の側面部と同一幅に離間して形成された第２の折り込み線によって、端面部、及び折り込み部が隣り合って配列されてなり、
前記上面部の中央部分に、前記一側端側が前記カード本体と連続してコの字型に切り込まれた折り返し片が形成され、
前記切り離し部が切り離された前記カード本体を、前記カード本体に形成された前記４本の折り畳み線に沿って、前記第１の下面部、第１の側面部、上面部、第２の側面部、及び第２の下面部をそれぞれ一方向に折り畳むと、前記第１の下面部と前記第２の下面部が互いに重なり合って一の下面が構成され、前記第１及び第２の折り込み線に沿って、前記端面部を前記上面部に対して垂直に折ると共に前記折り込み部が前記一の下面の内側に折り込まれることによって中空の直方体からなる共鳴胴部が形成され、
前記共鳴胴部の他側辺側端部は吹き込み口に形成され、
前記折り返し片を前記共鳴胴部の内側に折り返すと発音孔が形成されること
を特徴とする折り畳み式のカード型笛。
【考案の詳細な説明】
【技術分野】
【０００１】
本考案は折り畳み式のカード型笛に関し、特に災害時などの非常時に音を鳴らして居場所を知らせるための防災用警笛に関する。
【背景技術】
【０００２】
近年、災害や犯罪に対する防衛意識の高まりから、携帯可能な笛について開発されている。
【先行技術文献】
【特許文献】
【０００３】
【特許文献１】登録実用新案第０３１７９３８２号
【考案の概要】
【考案が解決しようとする課題】
【０００４】
しかし、従来技術における携帯できる笛は、笛の形状を保持したまま持ち運ぶ必要があったため、いつ使用する機会が訪れるかわからない笛を常に持ち運び携帯しておくには不便であった。
【課題を解決するための手段】
【０００５】
そこで、上記課題を解決するための手段として本考案に係る折り畳み式のカード型笛は、長方形の扁平なカード本体を備え、前記カード本体は、カード本体の長辺を形成する側端に平行な４本の折り畳み線によって、第１の下面部、第１の側面部、上面部、第２の側面部、第２の下面部が、短軸方向に隣り合って配列されてなり、前記第１の側面部、及び第２の側面部は、短軸方向に同一幅であると共に、前記第１の下面部、上面部、及び第２の下面部よりも幅狭に形成され、前記上面部の長軸方向の一端近傍における中央部分に、前記一端側が前記カード本体と連続してコの字型に切り込まれた折り返し片が形成され、前記カード本体は、前記折り返し片よりも他端側において、前記両側端から垂直に、一直線上で互いに向かい合ってなる切り込み部が前記上面部に至るまで形成されてなり、前記カード本体に形成された前記４本の折り畳み線に沿って、前記第１の下面部、第１の側面部、上面部、第２の側面部、及び第２の下面部がそれぞれ一方向に折り畳まれると、前記第１の下面部と前記第２の下面部が互いに重なり合って一の下面が構成される中空の直方体からなる共鳴胴部が形成され、前記共鳴胴部の他端は吹き込み口に形成され、前記折り返し片を前記共鳴胴部の内側に折り返すと発音孔が形成され、前記切り込み部において、前記上面部を折り曲げることによって前記共鳴胴部が屈曲可能であることを特徴とする。
【０００６】
また、本考案に係る折り畳み式のカード型笛は、長方形の扁平なカード本体を備え、前記カード本体の長辺を形成する一側端側において、長軸方向に互いに離間して同一の矩形形状に形成された一対の角部分が、前記カード本体から切り離し可能な一対の切り離し部に形成され、前記カード本体は、カード本体の短辺に平行な４本の折り畳み線によって、第１の下面部、第１の側面部、上面部、第２の側面部、第２の下面部が、長軸方向に隣り合って配列されてなり、前記第１の側面部、及び第２の側面部は、長軸方向に同一幅であると共に、前記第１の下面部、上面部、及び第２の下面部よりも幅狭に形成され、前記上面部の一側端側に連続してなる前記一対の切り離し部の間隙部分に、カード本体の長辺に平行で、前記切り離し部の他側縁と同一線上に形成された第１の折り込み線、及び前記第１の折り込み線から、前記第１の側面部と同一幅に離間して形成された第２の折り込み線によって、端面部、及び折り込み部が隣り合って配列されてなり、前記上面部の中央部分に、前記一側端側が前記カード本体と連続してコの字型に切り込まれた折り返し片が形成され、前記切り離し部が切り離された前記カード本体を、前記カード本体に形成された前記４本の折り畳み線に沿って、前記第１の下面部、第１の側面部、上面部、第２の側面部、及び第２の下面部をそれぞれ一方向に折り畳むと、前記第１の下面部と前記第２の下面部が互いに重なり合って一の下面が構成され、前記第１及び第２の折り込み線に沿って、前記端面部を前記上面部に対して垂直に折ると共に前記折り込み部が前記一の下面の内側に折り込まれることによって中空の直方体からなる共鳴胴部が形成され、前記共鳴胴部の他側辺側端部は吹き込み口に形成され、前記折り返し片を前記共鳴胴部の内側に折り返すと発音孔が形成されることを特徴とすることとしてもよい。
【０００７】
なお、前記一方向に折り畳むとは、扁平な状態におけるカード本体の表面若しくは裏面のいずれか一方が内側面となる方向に折り畳むことをいう。
【考案の効果】
【０００８】
以上のように構成された折り畳み式の笛によれば、常に携帯しやすい一枚のカードを持ち運ぶことによって、災害時にそのカードを取り出し折り畳むことで、防災用警笛としての機能を発揮することができる。
【０００９】
さらに持ち運びには扁平なキャッシュカード程のカードだけでよく、携帯型情報端末のカバーのカードポケットや財布のカードポケット、及び手帳のカードポケットに収納でき場所をとらずに携帯することができる。
【図面の簡単な説明】
【００１０】
【図１】第１の実施形態に係る折り畳み式のカード型笛１をカード状とした場合の正面図を示す図である。
【図２】第１の実施形態に係る折り畳み式のカード型笛１を組立てた状態を示す斜視図である。
【図３】第２の実施形態に係る折り畳み式のカード型笛１０１をカード状とした場合の正面図を示す図である。
【図４】カード本体１０２から切り離し部１１４ａ、１１４ｂを切り離した状態を示す図である。
【図５】第２の実施形態に係る折り畳み式のカード型笛１０１を組立てた状態を示す斜視図である。
【考案を実施するための形態】
【００１１】
以下、本考案に係る実施の形態を、図を参照しながら詳しく説明する。
【００１２】
＜第１の実施形態＞
図１は、本考案に係る折り畳み式笛１のカード形状時を示す正面図である。図１に示すように、本考案は長方形の扁平な一枚のカード本体２からなる。これを携帯型情報端末のケースに設けられているカード入れや、財布のカード入れに収納することにより容易に笛としての機能を有するものを持ち運ぶことができる。
【００１３】
前記カード本体２は、カード本体２の長辺Ｌ１，Ｌ２を形成する側端に平行な図１の二点鎖線に示される４本の折り畳み線３ａ〜３ｄによって、第１の下面部４、第１の側面部５、上面部６、第２の側面部７、第２の下面部８が、短軸方向に隣り合って配列されてなる。
【００１４】
前記第１の側面部５、及び第２の側面部７は、短軸方向に同一幅であると共に、前記第１の下面部４、上面部６、及び第２の下面部８よりも幅狭に形成されてなる。これはカード本体２を折り畳んで笛の形状とした時に底の低い直方体とし、使用者が息を吹き込んだ時の空気が圧縮され振動しやすくし、音が鳴りやすいようにするためである。
【００１５】
前記上面部６の長軸方向の一端Ｓ１近傍における中央部分に、前記一端Ｓ１側が前記カード本体２と連続してコの字型に切り込まれた折り返し片９が形成されてなる。
【００１６】
前記カード本体２は、前記折り返し片９よりも他端Ｓ２側において、前記両側端から垂直に、一直線上で互いに向かい合ってなる切り込み部１０ａ、１０ｂが前記上面部６に至るまで形成されてなる。この切り込み部も前記溝と同様に、送り込まれた空気が共鳴し、振動されやすくするための発音孔となる。
【００１７】
前記カード本体２に形成された前記４本の折り畳み線３ａ〜３ｄに沿って、前記第１の下面部４、第１の側面部５、上面部６、第２の側面部７、及び第２の下面部８がそれぞれ一方向に折り畳まれると、図２に示すように、前記第１の下面部４と前記第２の下面部８が互いに重なり合って一の下面が構成される中空の直方体からなる共鳴胴部１１ａ，１１ｂが形成される。
【００１８】
前記共鳴胴部１１ｂの他端は吹き込み口１２に形成され、前記折り返し片９を前記共鳴胴部１１ａの内側に折り返すと発音孔１３が形成され、前記切り込み部１０ａ、１０ｂにおいて、前記上面部６を折り曲げることによって前記共鳴胴部１１ａ，１１ｂが屈曲可能であることを特徴とする。
【００１９】
以上のように構成された折り畳み式笛１によると、一枚のカード本体２から、折り畳み線３ａ〜３ｄに沿って折り畳むことによって、災害時等の緊急用の警笛として利用できる笛として容易に使用できる。共鳴胴部１１ａ，１１ｂを屈曲させた形状を図２に示す。この折り返しによって形成された溝Ｎによって、吹き込み口１２より吹いた息の勢いが前記溝Ｎ付近の共鳴胴部１１ｂで変化し、警笛としての音色を変化させることも可能となる。
【００２０】
＜第２の実施形態＞
第２の実施形態に係る折り畳み式笛１０１の扁平なカード形状時は、図３に示す通りである。そしてこれを折り畳み、笛の形状とした時の形態は図４に示す通りである。
【００２１】
図３に示すように、長方形の扁平なカード本体１０２を備え、前記カード本体１０２の長辺Ｌ１１、Ｌ１２を形成する一側端Ｌ１２側において、長軸方向に互いに離間して同一の矩形形状に形成された一対の角部分が、前記カード本体から切り離し可能な一対の切り離し部１１４ａ、１１４ｂに形成されてなる。前記カード本体は、カード本体１０２の短辺Ｓ１１，Ｓ１２に平行な図３の二点鎖線で示される４本の折り畳み線１０３ａ〜１０３ｄによって、第１の下面部１０４、第１の側面部１０５、上面部１０６、第２の側面部１０７、第２の下面部１０８が、長軸方向に隣り合って配列されてなる。
【００２２】
前記第１の側面部１０５、及び第２の側面部１０７は、長軸方向に同一幅であると共に、前記第１の下面部１０４、上面部１０６、及び第２の下面部１０８よりも幅狭に形成され、前記上面部１０６の一側端Ｌ１２側に連続してなる前記一対の切り離し部１１４ａ、１１４ｂの間隙部分に、カード本体１０２の長辺Ｌ１２に平行で、前記切り離し部１１４ａ、１１４ｂの他側縁Ｍ１１、Ｍ１２と同一線上に形成された図３の二点鎖線で示される第１の折り込み線１１５、及び前記第１の折り込み線１１５から、前記第１の側面部１０と同一幅に離間して形成された第２の折り込み線１１６によって、端面部１１７、及び折り込み部１１８が隣り合って配列されてなる。
【００２３】
さらに、図４の矢印に示すように前記切り離し部１１４ａ、１１４ｂが切り離され、前記上面部１０６の中央部分に、前記一側端Ｌ１２側が前記カード本体１０２と連続してコの字型に切り込まれた折り返し片１０９が形成された前記カード本体１０２を、前記カード本体１０２に形成された前記４本の折り畳み線１０３ａ〜１０３ｄに沿って、前記第１の下面部１０４、第１の側面部１０５、上面部１０６、第２の側面部１０７、及び第２の下面部１０８をそれぞれ一方向に折り畳むと、前記第１の下面部１０４と前記第２の下面部１０８が互いに重なり合って一の下面が構成される。
【００２４】
前記第１の折り込み線１１５及び第２の折り込み線１１６に沿って、前記端面部１１７を前記上面部１０６に対して垂直に折ると共に前記折り込み部１１８が前記一の下面の内側に折り込まれることによって中空の直方体からなる共鳴胴部１１１が形成され、前記共鳴胴部１１１の他側辺側端部は吹き込み口１１２に形成され、前記折り返し片１０９を前記共鳴胴部１１１の内側に折り返すと発音孔１１３が形成される。以上のように構成された折り畳み式笛１０１によれば、前記共鳴胴部１１１の他側辺側端部から送り込まれた空気は、発音孔１１３から出し切れなかった空気と共鳴し、前記一の下面から振動した空気が放出することにより、警笛としての音が生まれる。
【符号の説明】
【００２５】
１、１０１  折り畳み式笛
２、１０２  カード本体
３ａ〜３ｄ  折り畳み線
１０３ａ〜１０３ｄ  折り畳み線
４、１０４  第１の下面部
５、１０５  第１の側面部
６、１０６  上面部
７、１０７  第２の側面部
８、１０８  第２の下面部
９、２０９  折り返し片
１０  切り込み部
１１、１１１  共鳴胴部
１２、１１２  吹き込み口
１３、１１３  発音孔
１１４ａ、１１４ｂ  切り離し部
【図１】
0003201223.tif 000003
【図２】
0003201223.tif 000004
【図３】
0003201223.tif 000005
【図４】
0003201223.tif 000006
【図５】
0003201223.tif 000007